(57)【要約】【課題】単語辞書を用いる形態素解析において、単語辞書に登録された情報を効率的に修正して、高精度な解析を実現することができる、形態素解析装置を提供する。【解決手段】単語、所定の単語の並びである複合語、及び複合語における所定の単語に分割可能な位置に関する語切り情報が登録された単語辞書に基づいて、複合語を１つの単語として文章の形態素解析を実行する形態素解析手段と、単語辞書に基づいて、形態素解析の結果に含まれる複合語を所定の単語に分割する形態素細分割手段とを備える。【選択図】      図１
2015007943.tif 000002
【特許請求の範囲】
【請求項１】
単語、所定の単語の並びである複合語及び前記複合語における前記所定の単語に分割可能な位置に関する語切り情報が登録された単語辞書に基づいて、前記複合語を１つの単語として文章の形態素解析を実行する形態素解析手段と、
前記単語辞書に基づいて、前記形態素解析の結果に含まれる前記複合語を前記所定の単語に分割する形態素細分割手段と、
を備えることを特徴とする形態素解析装置。
【請求項２】
前記語切り情報は、前記位置に挿入された所定の記号、前記所定の単語の並び、又は前記所定の単語の識別子の並びである
ことを特徴とする請求項１に記載の形態素解析装置。
【請求項３】
前記語切り情報は、前記位置を表す、前記複合語の先頭又は末尾からの文字数である
ことを特徴とする請求項１に記載の形態素解析装置。
【請求項４】
前記単語辞書には、活用形である前記単語が登録される
ことを特徴とする請求項１乃至３のいずれか１項に記載の形態素解析装置。
【請求項５】
前記単語辞書には、見出し語である前記単語、及び前記見出し語に対応付けられた前記見出し語の活用形に関する情報が登録される
ことを特徴とする請求項１乃至３のいずれか１項に記載の形態素解析装置。
【請求項６】
前記形態素解析手段は、前記単語を接続したときの第１の接続コストの情報を保持し、前記文章中における前記第１の接続コストの総和が最小になる前記単語の並びを形態素解析の結果として選択する
ことを特徴とする請求項１乃至５のいずれか１項に記載の形態素解析装置。
【請求項７】
前記単語辞書には、前記単語が属する品詞の情報が登録される
ことを特徴とする請求項１乃至６のいずれか１項に記載の形態素解析装置。
【請求項８】
前記形態素解析手段は、前記品詞が異なる前記単語を接続したときの第２の接続コストの情報を保持し、前記文章中における前記第２の接続コストの総和が最小になる前記単語の並びを形態素解析の結果として選択する
ことを特徴とする請求項１乃至５のいずれか１項又は請求項７に記載の形態素解析装置。
【請求項９】
単語、所定の単語の並びである複合語、及び前記複合語における前記所定の単語に分割可能な位置に関する語切り情報が登録された単語辞書に基づいて、前記複合語を１つの単語として文章の形態素解析を実行し、
前記単語辞書に基づいて、前記形態素解析の結果に含まれる前記複合語を前記所定の単語に分割する
ことを特徴とする形態素解析方法。
【請求項１０】
単語、所定の単語の並びである複合語、及び前記複合語における前記所定の単語に分割可能な位置に関する語切り情報が登録された単語辞書を備える形態素解析装置の備えるコンピュータを、
前記単語辞書に基づいて、前記複合語を１つの単語として文章の形態素解析を実行する形態素解析手段と、
前記単語辞書に基づいて、前記形態素解析の結果に含まれる前記複合語を前記所定の単語に分割する形態素細分割手段と、
して機能させるための形態素解析プログラム。
【発明の詳細な説明】
【技術分野】
【０００１】
本発明は、単語辞書を用いる、形態素解析装置、形態素解析方法、及び、形態素解析プログラムに関する。
【背景技術】
【０００２】
「形態素解析装置」とは、入力文字列を、入力文字列を構成する形態素の列に分割する処理である「形態素解析」を行う装置である。ここで、「形態素」とは、ある言語で書かれた、入力された、又は、話された文を、それ以上分割したら意味をなさなくなるところまで分割して抽出された、言語で意味を持つ最小単位の文字列（文字コード等の列）であり、品詞種別が特定された単語である。尚、複数の品詞種別を持ちうる文字列は、文字列としては一つであっても、品詞種別毎に異なる形態素として扱われる（文字列及び品詞種別の組毎に辞書中で与えられたコード等で表現される。）。又、入力された、又は、話された文の場合には、形態素は、文字列ではなく、入力や音素等を表現するコード等の列として扱われることもある。
【０００３】
形態素解析の手法には、さまざまな方法がある。例えば、形態素の列全体でコストの総和が最小になる形態素の列を最適な分割結果として選択する方法がある。この方法では、入力文字列は、複数の形態素を含む「形態素列」に分割される。このとき、入力文字列中の分割位置を変えることにより、複数の形態素列が作成される。
【０００４】
それぞれの形態素列に含まれる２個の形態素間の接続に対しては、コスト（「接続コスト」ともいう。）が定義される。「コスト」とは、複数の形態素列の中から最も適切なものを選択するために用いられる指標である。そして、複数の形態素列の中から、コストの総和が最小となる形態素列が選択される。
【０００５】
形態素解析装置の一例が、特許文献１に開示されている。特許文献１の形態素解析装置は、形態素解析手段と、単語辞書と、接続表と、学習辞書と、解析誤り修正手段とを含む。形態素解析手段は、単語コストを保持した単語辞書と接続コストを保持した接続表とに基づいて（解析候補における単語コストと接続コストの総和を解析候補の尤もらしさの尺度とした最小コスト法に基づいて）、ユーザにより指示された文字列（入力文字列）の文節（形態素列）候補を生成する。解析誤り修正手段は、文節候補結果からユーザにより選択された正しい文節候補に基づき、学習辞書を作成する。形態素解析装置は、次回の形態素解析の際には、学習辞書を参照し、登録されている単語、又は２個の単語の連接（隣接する単語の並び）が含まれる解析結果の優先度を高めることで、学習結果を反映する。具体的には、形態素解析装置は、形態素解析のコスト計算の際に、学習辞書に登録されている単語、又は２個の単語の連接の部分のコストを強制的に”０”にすることによって、学習単位を含む解析結果の優先度を高める。  
【０００６】
上記の動作の結果、特許文献１の形態素解析装置では、学習辞書に登録されている単語、又は２個の単語の連接を含む形態素解析候補が、形態素解析の結果として選択される可能性が高まる。
【０００７】
特許文献２には、特許文献１の形態素解析装置のような「低速形態素解析装置」による解析結果を学習用データとして用いる「高速形態素解析装置」が開示されている。「低速形態素解析」とは、形態素（単語）辞書を用いる形態素解析である。「高速形態素解析」とは、文字をベースとした確率モデル（統計データベース）を利用した形態素解析である。「高速形態素解析」は、「低速形態素解析」より高速に動作することが多い。特許文献２の形態素解析装置は、低速形態素解析の結果を高速形態素解析の学習データに自動的に変換する。特許文献２の形態素解析装置は、学習データの学習後に、入力文を高速形態素解析により解析する。特許文献２の形態素解析装置は、大量の正確な学習データを学習した後には、低速形態素解析による形態素解析とほぼ同じ精度で形態素解析を実行する。
【先行技術文献】
【特許文献】
【０００８】
【特許文献１】特開平９−１１４８２５公報（第３−４ページ、図１−４）
【特許文献２】特許３９３９２６４号公報（第３−７ページ、図１、２、１１）
【発明の概要】
【発明が解決しようとする課題】
【０００９】
特許文献１の形態素解析装置では、学習辞書に登録されている単語、又は２個の単語の連接の部分のコストが強制的に優先される。そこで、特許文献１の形態素解析装置では、学習辞書に登録されている単語、又は２個の単語の連接の部分を含み、かつ、学習辞書に登録されている単語、又は２個の単語の連接に基づく形態素解析が不適当な文に対して、不適当な形態素解析結果を出力する可能性が高い。つまり、特許文献１の形態素解析装置では、高精度な形態素解析を実現することが困難であるという問題がある。
【００１０】
特許文献２の形態素解析装置では、「低速形態素解析」による形態素解析とほぼ同じ精度で形態素解析を実行するためには、学習データとして大量の正確な「低速形態素解析」による形態素解析結果が必要である。つまり、特許文献２の形態素解析装置では、「低速形態素解析」による高精度な形態素解析結果を効率的に取得する必要があるという問題がある。
（発明の目的）
本発明の目的は、単語辞書を用いる形態素解析において、単語辞書に登録された情報を効率的に修正して、高精度な解析を実現することができる、形態素解析装置、形態素解析方法、及び、形態素解析プログラムを提供することにある。
【課題を解決するための手段】
【００１１】
本発明の形態素解析装置は、単語、所定の単語の並びである複合語、及び複合語における所定の単語に分割する位置に関する語切り情報が登録された単語辞書に基づいて、複合語を１つの単語として文章の形態素解析を実行する形態素解析手段と、単語辞書に基づいて、形態素解析の結果に含まれる複合語を所定の単語に分割する形態素細分割手段と、を備えることを特徴とする。
【００１２】
本発明の形態素解析方法は、単語、所定の単語の並びである複合語、及び複合語における所定の単語に分割する位置に関する語切り情報が登録された単語辞書に基づいて、複合語を１つの単語として文章の形態素解析を実行し、単語辞書に基づいて、形態素解析の結果に含まれる複合語を所定の単語に分割することを特徴とする。
【００１３】
本発明の形態素解析プログラムは、単語、所定の単語の並びである複合語、及び複合語における所定の単語に分割する位置に関する語切り情報が登録された単語辞書を備える形態素解析装置の備えるコンピュータを、単語辞書に基づいて、複合語を１つの単語として文章の形態素解析を実行する形態素解析手段と、単語辞書に基づいて、形態素解析の結果に含まれる複合語を所定の単語に分割する形態素細分割手段として機能させることを特徴とする。
【発明の効果】
【００１４】
本発明によれば、単語辞書を用いる形態素解析において、単語辞書に登録された情報を効率的に修正して、高精度な解析を実現することができるという効果がある。
【図面の簡単な説明】
【００１５】
【図１】本発明の第１の実施形態における形態素解析装置の構成の一例を示すブロック図である。
【図２】本発明の第１の実施形態における形態素解析装置のハードウェア構成の一例を示すブロック図である。
【図３】本発明の第１の実施形態における形態素解析装置の動作を示すフローチャートである。
【図４】本発明の第１の実施形態における形態素解析装置の処理手順の具体例を説明するための図である。
【図５】本発明の第１の実施形態における形態素解析装置のコスト計算の具体例を説明するための表である。
【図６】本発明の第２の実施形態における形態素解析装置の処理手順の具体例を説明するための図である。
【図７】本発明の第２の実施形態における形態素解析装置のコスト計算の具体例を説明するための表である。
【発明を実施するための形態】
【００１６】
以下、本発明の実施形態について図面を参照して詳細に説明する。尚、すべての図面において、同等の構成要素には同じ符号を付し、適宜説明を省略する。
（第１の実施形態）
図１は、本実施形態における形態素解析装置の構成の一例を示すブロック図である。
【００１７】
形態素解析装置１１０は、入力文字列を形態素（以下、「単語」ともいう。）の列に分割する。入力文字列は、ある言語で書かれた、入力された、又は、話された、文又は文の一部である。入力された、又は、話された、文又は文の一部の場合には、形態素は、文字列ではなく、入力や音素等を表現するコード等の列であってよい。以下、形態素の列を単に「入力文字列」、「文」又は「文章」ともいう。
【００１８】
形態素解析装置１１０は、形態素解析手段１２０と、形態素細分割手段１３０と、単語辞書１４０とを備える。
【００１９】
単語辞書１４０は、登録された単語の情報を保持する。単語辞書１４０に登録される単語には、任意の品詞に属する形態素である単語（以下、単に「単語」という。）に加え、単語の並び（以下、「複合語」という。）が含まれる。単語辞書１４０に複合語が登録される場合、単語辞書１４０には、複合語を複合語に含まれる単語に分割する位置に関する情報（以下、「語切り情報」という。）が含まれる。「語切り情報」は、複合語に対応付けられて登録される。尚、複合語に含まれる単語は、単語辞書に登録されなくてもよい。
【００２０】
形態素解析手段１２０は、複合語を１つの単語として、単語辞書に基づいて、文章の形態素解析を実行する。つまり、形態素解析手段１２０は、複合語を単語として選択するときは、複合語を更に複合語に含まれる単語に分割することはしない。
【００２１】
形態素解析手段１２０が形態素解析を実行する方法は、単語辞書１４０に基づいて実行される方法であればよい。形態素解析手段１２０は、例えば、単語辞書中に定義された単語間の接続コストに基づき、文内の単語間の接続コストの総和が最小になる単語の並びを、形態素解析の結果としてもよい。形態素解析手段１２０が、単語辞書中に定義された単語間の接続コストに基づき形態素解析を実行する場合、形態素解析手段１２０は、単語間の接続コストの定義を保持する。
【００２２】
形態素細分割手段１３０は、単語辞書１３０に含まれる「語切り情報」等に基づいて、形態素解析手段１２０による中間的な形態素解析の結果に含まれる複合語を単語に分割する。以下、複合語を単語に分割することを「細分割」という。
【００２３】
尚、形態素解析装置１１０の機能は、形態素解析手段１２０の機能と形態素細分割手段１３０の機能とに分離されて、２台の装置に配置されてもよい。
【００２４】
図２は、本実施形態における形態素解析装置のハードウェア構成の一例を示すブロック図である。
【００２５】
形態素解析装置１０１は、記憶装置１０２と、ＣＰＵ（Central Processing Unit）１０３と、キーボード１０４と、モニタ１０５と、Ｉ／Ｏ（Input/Output）１０８とを備え、これらが内部バス１０６で接続されている。記憶装置１０２は、形態素細分割手段１３０等のＣＰＵ１０３の動作プログラムを格納する。ＣＰＵ１０３は、形態素解析装置１０１全体を制御し、記憶装置１０２に格納された動作プログラムを実行し、Ｉ／Ｏ１０８を介して形態素細分割手段１３０等のプログラムの実行やデータの送受信を行なう。なお、上記の形態素解析装置１０１の内部構成は一例である。形態素解析装置１０１は、ＣＰＵ１０３のみを備え、外部に備えられた、記憶装置１０２、キーボード１０４、モニタ１０５、及びＩ／Ｏ１０８を用いて動作してもよい。
【００２６】
次に、本実施形態の動作を説明する。
【００２７】
図３は、本実施形態における形態素解析装置の動作を示すフローチャートである。
【００２８】
形態素解析装置１１０の形態素解析手段１２０は、複合語を１つの単語として、単語辞書に基づいて、文章の形態素解析を実行する（ステップＳ１１）。
【００２９】
形態素解析装置１１０の形態素細分割手段１３０は、単語辞書１３０に含まれる「語切り情報」等に基づいて、形態素解析手段１２０による中間的な形態素解析の結果に含まれる複合語を単語に分割する（ステップＳ１２）。
【００３０】
図４は、本実施形態における形態素解析装置の処理手順の具体例を説明するための図である。
【００３１】
単語辞書１４０には、予め７個の単語（番号１−７）：「そう（副詞）」、「する（動詞）」、「つもり（名詞）」、「つもり（助動詞）」、「で（助詞）」、「でいる（助動詞）」、「いる（動詞）」及び１個の複合語（番号１０）：「つもりでいる（助動詞）」が登録される。尚、括弧内に示された品詞種別は説明の便宜であり、単語辞書１４０の内容には含まれなくてもよい。単語辞書１４０には、品詞が異なるものであれば同じ文字列からなる複数の単語が含まれてもよい。例えば、「つもり（名詞）」（番号３）と「つもり（助動詞）」（番号４）は同じ文字列からなるが、品詞が異なる。
【００３２】
単語辞書１４０には、「語切り情報」として、複合語（番号１０）：「つもりでいる（助動詞）」を複合語に含まれる単語に分割する位置に関する情報が含まれる。図４の「語切り情報」は、複合語「つもりでいる（助動詞）」（番号１０）が、２つの単語「つもり（助動詞）」（番号４）と「でいる（助動詞）」（番号６）とに、単語の間（「／」の位置）で分割されることを示している。単語間の区切り記号「／」は一例であり、別の区切り記号が用いられてもよい。あるいは、区切り記号を用いる代わりに、単に単語の識別子の列（例えば、番号４、番号６の列）が用いられてもよい。あるいは、「語切り情報」は、複合語内で区切られた単語の開始位置を示す数字として保持されてもよい。例えば、「つもりでいる」の場合であれば、先頭の文字から３文字で分割されるとの意味で、語切り情報を”３”としてもよい。
【００３３】
形態素解析手段１２０は、単語辞書１４０に基づいて、与えられた原文１２１「そうするつもりでいる」の形態素解析を実行する（ステップＳ１１）。
【００３４】
形態素解析手段１２０は、単語辞書１４０に基づいて、可能な５つの形態素所解析の候補１２２（候補１−５）から、例えば、形態素所解析の結果として、中間結果１２３「／そう（１）／する（２）／つもりでいる（１０）」を選択する。
【００３５】
形態素細分割手段１３０は、単語辞書１３０に含まれる「語切り情報」に基づいて、形態素解析手段１２０による中間結果１２３「／そう（１）／する（２）／つもりでいる（１０）」に含まれる複合語「つもりでいる（１０）」を、単語「つもり（４）」と「でいる（６）」とに分割する（ステップＳ１２）。
【００３６】
図５は、本実施形態における形態素解析装置におけるコスト計算の具体例を説明するための表である。
【００３７】
形態素解析手段１２０が、定義された単語間の接続コストに基づき形態素解析を実行する場合の詳細について説明する。
【００３８】
図５の上側の表は、形態素解析手段１２０が保持する単語間の接続コストが定義された接続コストテーブルの一例である。接続コストテーブルには、９つの接続コスト（番号１―９）が定義さている。例えば、先頭のルール（番号１）は、「そう（１）」に「する（２）」が続く場合の接続コストが”１０”であることを示す。
【００３９】
図５の下側の表は、図４に示された可能な５つの形態素所解析の候補１２２（候補１−５）毎の接続コストの総和の一例である。例えば、先頭の候補（候補１）は、「そう（１）」と「する（２）」の接続に対して先頭のルール（番号１）が適用された結果コスト”１０”が、「する（２）」と「つもりでいる（１０）」の接続に対して４番目のルール（番号４）が適用された結果コスト”１０”が加算され、接続コストの総和が”２０”であることを示す。可能な５つの形態素所解析の候補１２２（候補１−５）毎の接続コストの総和が計算された結果、先頭の候補（候補１）の接続コストの総和が最も小さいので、先頭の候補（候補１）が形態素解析の結果（中間結果）として選択される。
【００４０】
以上説明したように、本実施形態における形態素解析装置１１０では、単語辞書１４０に複合語が登録される。そのため、複合語は内部の接続コストが”０”になり、複合語は形態素解析の結果に含まれやすくなる。複合語自体は１つの単語として他の語との結合コストが定義されるので、形態素解析の結果として選択される可能性が過度に高まらない。
【００４１】
従って、本実施形態における形態素解析装置１１０は、単語辞書に登録された情報を効率的に修正して、高精度な形態素解析を実現することができる。
【００４２】
尚、本実施形態では、形態素解析手段が単語間の接続コストに基づき形態素解析を実行する場合について説明したが、形態素解析方法は、単語辞書を用いる形態素解析方法であればよく、具体的内容は特に限定されない。
（第２の実施形態）
本実施形態の説明においては、第１の実施形態と本実施形態とで共通する説明は省略し、第１の実施形態に対する本実施形態の相違点のみについて説明する。
【００４３】
本実施形態における形態素解析装置１１５の構成は、図１に示した第１の実施形態における形態素解析装置１１０の構成と同じである。但し、形態素解析装置１１５の形態素解析手段１２５の動作は、図４に示した第１の実施形態における形態素解析装置１１０の形態素解析手段１２０の動作と異なる。更に、形態素解析装置１１５の形態素細分割手段１３５の動作は、図４に示した第１の実施形態における形態素解析装置１１０の形態素細分割手段１３０の動作と異なる。すなわち、本実施形態における形態素解析手段１２５は、単語間で定義された接続コストの代わりに、品詞間で定義された接続コストに基づき形態素解析を実行する。また、本実施形態における形態素細分割手段１３５は、複合語中の区切り記号で特定された分割位置の代わりに、複合語の先頭からの文字数で特定された分割位置に基づきさらなる分割を実行する。
【００４４】
図６は、本実施形態における形態素解析装置の処理手順の具体例を説明するための図である。
【００４５】
単語辞書１４５には、予め７個の単語（番号１−７）：「そう」（副詞）、「する」（動詞）、「つもり」（名詞）、「つもりだ」（助動詞）、「で」（助詞）、「でいる」（助動詞）、「いる」（動詞）及び１個の複合語（番号１０）：「つもりでいる」（助動詞）が登録される。但し、単語として「見出し語」が登録されており、単語辞書１４５には、「見出し語」の活用形「そう」、「する」、「つもり」、「つもり」、「で」、「でいる」、「いる」及び「つもりでいる」も登録される。尚、活用形は「各見出し語」に１つ示されているが、複数個の活用形を含んでもよい。あるいは、「見出し語」の「活用型」の情報が登録されてもよい。更に、単語辞書１４５には、「各見出し語」の品詞種別が登録される。
【００４６】
単語辞書１４５では、「語切り情報」は、複合語内で区切られた単語の開始位置を示す数字（例えば、“３”）として保持される。単語辞書１４５では、「語切り情報」として、更に複合語（番号１０）：「つもりでいる（助動詞）」に含まれる２つの単語「つもりだ（助動詞）」（番号４）と「でいる（助動詞）」（番号６）の情報が含まれる。
【００４７】
形態素解析手段１２５は、単語辞書１４５に基づいて、与えられた原文１２６「そうするつもりでいる」の形態素解析を実行する（ステップＳ１１）。
【００４８】
形態素解析手段１２５は、単語辞書１４５に基づいて、可能な５つの形態素所解析の候補１２７（候補１−５）から、例えば、形態素所解析の結果として、中間結果１２８「／そう（１）／する（２）／つもりでいる（１０）」を選択する。
【００４９】
形態素細分割手段１３５は、単語辞書１３５に含まれる「語切り情報」に基づいて、形態素解析手段１２５による中間結果１２８「／そう（１）／する（２）／つもりでいる（１０）」に含まれる複合語「つもりでいる（１０）」を、３文字目において、単語「つもり（４）」と「でいる（６）」とに分割する（ステップＳ１２）。
【００５０】
図７は、本実施形態における形態素解析装置のコスト計算の具体例を説明するための表である。
【００５１】
形態素解析手段１２５が、定義された単語間の接続コストに基づき形態素解析を実行する場合の詳細について説明する。
【００５２】
図７の上側の表は、形態素解析手段１２５が保持する単語間の接続コストが定義された接続コストテーブルの一例である。接続コストテーブルには、８つの接続コスト（番号１−８）が定義さている。例えば、先頭のルール（番号１）は、「副詞」に「動詞」が続く場合の接続コストが”１０”であることを示す。
【００５３】
図７の下側の表は、図６に示された可能な５つの形態素所解析の候補１２７（候補１−５）毎の接続コストの総和の一例である。例えば、先頭の候補（候補１）は、「そう（１）」と「する（２）」の接続に対して先頭のルール（番号１）が適用された結果コスト”１０”が、「する（２）」と「つもりでいる（１０）」の接続に対して３番目のルール（番号３）が適用された結果コスト”１０”が加算され、接続コストの総和が”２０”であることを示す。可能な５つの形態素所解析の候補１２７（候補１−５）毎の接続コストの総和が計算された結果、先頭の候補（候補１）の接続コストの総和が最も小さいので、先頭の候補（候補１）が形態素解析の結果（中間結果）として選択される。
【００５４】
以上説明したように、本実施形態における形態素解析装置１１５では、単語辞書１４５に単語が見出し語、見出し語が属する品詞、見出し語の活用形の情報が登録される。そのため、単語が単語の活用形毎に単語辞書１４５に登録される必要が無い。
【００５５】
従って、本実施形態における形態素解析装置１１５は、第１の実施形態における形態素解析装置１１０の効果に加え、単語辞書の登録及び接続コストの設定をより簡素化できるという効果を有する。
【００５６】
尚、本実施形態では、形態素解析手段が単語間の接続コストに基づき形態素解析を実行する場合について説明したが、形態素解析方法は、単語辞書を用いる形態素解析方法であればよく、具体的内容は特に限定されない。
【００５７】
尚、図３の形態素解析装置の各処理は、ソフトウェアによって実行されてもよい。すなわち、各処理を行うためのコンピュータプログラムが、形態素解析装置が備えるＣＰＵ（図２：９０３）によって読み込まれ、実行されてもよい。プログラムを用いて各処理を行っても、上述の実施形態の処理と同内容の処理を行うことができる。そして、上記のプログラムは、ＲＯＭ（Read Only Memory）、ＲＡＭ（Random Access Memory）、フラッシュメモリ等の半導体記憶装置、光ディスク、磁気ディスク、光磁気ディスク等、非一時的な媒体に格納されてもよい。
【００５８】
あるいは、各処理は、個別の回路等の構成要素によって実行されてもよい。
【００５９】
尚、本願発明は、上述の実施形態に限定されるものではなく、本願発明の要旨を逸脱しない範囲で種々変更、変形して実施することができる。
【産業上の利用可能性】
【００６０】
本発明の形態素解析装置は、例えば、機械翻訳システムやテキストマイニングシステム等の一部としても利用することができる。
【００６１】
又、本発明の形態素解析は、実施形態で説明した形態素解析装置だけでなく、例えば、かな漢字システムや音声認識システム等の一部にも適用することができる。
【図１】
2015007943.tif 000003
【図２】
2015007943.tif 000004
【図３】
2015007943.tif 000005
【図４】
2015007943.tif 000006
【図５】
2015007943.tif 000007
【図６】
2015007943.tif 000008
【図７】
2015007943.tif 000009